(57)【要約】【課題】脹脛のスムージングを可能にする。【解決手段】タイツ１０は、タイツ１０の着用時に脹脛の最大径を含む領域に対応する位置に、配設される脹脛トップ被覆部１１と、脹脛において脹脛トップ被覆部１１よりも上方の領域に対応する位置に、配設される脹脛トップ上被覆部１２と、脹脛において脹脛トップ被覆部１１よりも下方の領域に対応する位置に、配設される脹脛トップ下被覆部１３とを備える。脹脛トップ被覆部１１は、脹脛トップ上被覆部１２および脹脛トップ下被覆部１３よりも高い伸長力を有する。【選択図】図２
2018071010.tif 000002
【特許請求の範囲】
【請求項１】
脹脛を覆う衣料であって、
前記衣料の着用時に脹脛の最大径を含む領域に対応する位置に、配設される脹脛トップ被覆部と、
前記脹脛において前記脹脛トップ被覆部よりも上方の領域に対応する位置に、配設される脹脛トップ上被覆部と、
前記脹脛において前記脹脛トップ被覆部よりも下方の領域に対応する位置に、配設される脹脛トップ下被覆部とを備え、
前記脹脛トップ被覆部は、前記脹脛トップ上被覆部および前記脹脛トップ下被覆部よりも小さい伸長回復力を有する
ことを特徴とする脹脛を覆う衣料。
【請求項２】
前記脹脛トップ被覆部の垂直方向の長さは、前記脹脛トップ上被覆部および前記脹脛トップ下被覆部の垂直方向の長さよりも短い
ことを特徴とする請求項１に記載の脹脛を覆う衣料。
【請求項３】
前記脹脛トップ下被覆部は、前記脹脛の肉を下方から持ち上げて、前記脹脛の最大径の高さ位置を引き上げ、
前記脹脛トップ上被覆部および前記脹脛トップ下被覆部が、前記脹脛トップ被覆部よりも大きい伸長回復力を有することにより、前記脹脛トップ被覆部の高さ位置がずれないように形成される
ことを特徴とする請求項１または２に記載の脹脛を覆う衣料。
【請求項４】
前記衣料は、
前記脹脛トップ上被覆部の上方であって、膝を含む領域に対応する位置に、配設される膝被覆部と、
前記膝被覆部の上方であって、大腿の下方の領域に対応する位置に、配設される大腿下被覆部をさらに備え、
前記膝被覆部は、前記脹脛トップ上被覆部および前記大腿下被覆部よりも小さい伸長回復力を有する
ことを特徴とする請求項１ないし３のいずれか１項に記載の脹脛を覆う衣料。
【発明の詳細な説明】
【技術分野】
【０００１】
本発明は、脹脛を覆う衣料に関する。
【背景技術】
【０００２】
昨今、ストッキング等において所望位置に着圧を与え、日常的なむくみ防止や医療用に適用する場合がある（例えば特許文献１参照）。特許文献１に記載のストッキングは、立位時における足首：下腿：太腿がおおよそ１０：８：５の割合で弱くなる着圧バランスを有する。特許文献１によれば、このようなストッキングは、立位時および椅座時において、静脈環流の促進効果を維持することを可能にする。
【先行技術文献】
【特許文献】
【０００３】
【特許文献１】特開２００１−１４０１０４
【発明の概要】
【発明が解決しようとする課題】
【０００４】
スカート着用時などにおいて脹脛（ふくらはぎ）は注目されやすいので、脹脛の形状に気を遣う女性が多い。しかしながら、特許文献１に記載のストッキングは、足首に強い着圧を与えて静脈環流を促進することを開示するに留まり、脹脛の形状を整え、視覚的に脚を長く見せる効果については、何ら開示されていない。
【０００５】
従って本発明の目的は、脹脛の形状を整えることにより、視覚的に脚を長く見せることを可能にする衣料を提供することである。
【課題を解決するための手段】
【０００６】
上記課題を解決するために、本発明の特徴は、脹脛を覆う衣料に関する。本発明の特徴に係る脹脛を覆う衣料は、衣料の着用時に脹脛の最大径を含む領域に対応する位置に、配設される脹脛トップ被覆部と、脹脛において脹脛トップ被覆部よりも上方の領域に対応する位置に、配設される脹脛トップ上被覆部と、脹脛において脹脛トップ被覆部よりも下方の領域に対応する位置に、配設される脹脛トップ下被覆部とを備える。脹脛トップ被覆部は、脹脛トップ上被覆部および脹脛トップ下被覆部よりも小さい伸長回復力を有する。
【０００７】
脹脛トップ被覆部の垂直方向の長さは、脹脛トップ上被覆部および脹脛トップ下被覆部の垂直方向の長さよりも短くてもよい。
【０００８】
脹脛トップ下被覆部は、脹脛の肉を下方から持ち上げて、脹脛の最大径の高さ位置を引き上げ、脹脛トップ上被覆部および脹脛トップ下被覆部が、脹脛トップ被覆部よりも大きい伸長回復力を有することにより、脹脛トップ被覆部の高さ位置がずれないように形成されても良い。
【０００９】
衣料は、脹脛トップ上被覆部の上方であって、膝を含む領域に対応する位置に、配設される膝被覆部と、膝被覆部の上方であって、大腿の下方の領域に対応する位置に、配設される大腿下被覆部をさらに備え、膝被覆部は、脹脛トップ上被覆部および大腿下被覆部よりも小さい伸長回復力を有しても良い。
【発明の効果】
【００１０】
本発明によれば、脹脛の形状を整えることにより、視覚的に脚を長く見せることができる。
【図面の簡単な説明】
【００１１】
【図１】本発明の実施の形態に係るタイツを、着用者が着用した状態を説明する図である。
【図２】本発明の実施の形態に係るタイツを、着用者が着用した際の脹脛近傍を説明する図である。
【図３】本発明の実施の形態に係るタイツの非着用時と着用時の脹脛トップの高さを説明する側面図である。
【図４】本発明の実施の形態に係るタイツの非着用時と着用時の下腿部分に等高線を施した図である。
【発明を実施するための形態】
【００１２】
次に、図面を参照して、本発明の実施の形態を説明する。以下の図面の記載において、同一または類似の部分には同一または類似の符号を付している。
【００１３】
（実施の形態）
本発明の実施の形態に係る「脹脛を覆う衣料」を説明する。「脹脛を覆う衣料」は、脹脛にフィットして覆う衣料であって、具体的には、タイツ、ストッキング等である。また、「脹脛を覆う衣料」は、レギンス、トレンカ等の足首周辺に非被覆部があるもの、膝下までのショートタイプや大腿までのガータータイプ等の大腿ないし腰部に非被覆部があるもの、或いは膝下までのハイソックスや大腿部までのニーハイ、サイハイ等の靴下も含む。
【００１４】
本発明の実施の形態において、「脹脛を覆う衣料」として、図１および図２に示すタイツ１０を説明する。タイツ１０は、着用者の腰部からつま先までを被覆する場合を説明するが、これに限られない。
【００１５】
図１に示すように、タイツ１０は、上部脹脛被覆部１、下部脹脛被覆部２、膝被覆部３、大腿下被覆部４、大腿上被覆部５および足首被覆部６を備える。タイツ１０は、腰被覆部（図示せず）、足被覆部（図示せず）を備えても良い。上部脹脛被覆部１、下部脹脛被覆部２、膝被覆部３、大腿下被覆部４、大腿上被覆部５および足首被覆部６は、着用者の脚形状にフィットして被覆するように円筒状に形成される。
【００１６】
上部脹脛被覆部１は、下部脹脛被覆部２および膝被覆部３の間に隣接して配設されても良い。膝被覆部３は、上部脹脛被覆部１および大腿下被覆部４の間に隣接して配設されても良い。
【００１７】
タイツ１０は、ＤＣＹ（Double Covered Yarn）およびＳＣＹ（Single Covered Yarn）を交互に編んだ交編、或いはＤＣＹまたはＳＣＹなどのサポート糸とナイロン糸を交互に編んだ交編で形成されても良いし、サポート糸によるゾッキで形成されても良い。本発明の実施の形態に係るタイツ１０における各部位は、度目を調節することによって、それぞれ所望の機能を発揮できるように周方向の伸長回復性および縦方向の伸長回復性が異なるように形成される。
【００１８】
伸長回復性は、伸長力と回復力の平均で表され、締め付け力を示す性質である。伸長回復力が高いと締め付け力が大きく、伸長回復力が小さいと締め付け力が弱い。
【００１９】
上部脹脛被覆部１と下部脹脛被覆部２は、着用者の脹脛に対応する領域を被覆する。上部脹脛被覆部１は、膝被覆部３の下端近傍から下部脹脛被覆部２の上端近傍を被覆する。
【００２０】
下部脹脛被覆部２は、上部脹脛被覆部１の下方であって、足首被覆部６の上方領域に対応する位置に、配設される。下部脹脛被覆部２は、上部脹脛被覆部１の下端近傍より足首被覆部６の上端近傍を被覆する。
【００２１】
膝被覆部３は、上部脹脛被覆部１の上方であって、膝を含む領域に対応する位置に、配設される。膝被覆部３は、膝の屈伸により皮膚の伸縮が生じる領域に対応する位置に配設される。
【００２２】
大腿下被覆部４は、膝被覆部３の上方であって、大腿の下方の領域に対応する位置に、配設される。大腿下被覆部４は、膝上の肉のボリュームが生じやすい領域に対応する位置に配設される。
【００２３】
大腿上被覆部５は、大腿下被覆部４の上方から、股下の高さに対応する位置にかけて配設される。足首被覆部６は、下部脹脛被覆部２の下方であって、足首近傍より上方の領域に対応する位置に、配設される。足首は、足のくるぶしの上方の径の小さい部分である。
【００２４】
図１に示すように、大腿上被覆部５は、相対的に伸長回復力が小さくなるように形成される。大腿上被覆部５において、大腿上部分のボリュームに追従しやすくなる。また、大腿下被覆部４は、相対的に伸長回復力が大きくなるように形成される。大腿の下方は肉のボリュームが比較的多いので、これらの位置に対応する大腿下被覆部４において伸長力を低く締め付け力を高くすることにより、脚のラインを美しく整えることが可能になる。
【００２５】
（脹脛被覆部）
図２を参照して、上部脹脛被覆部１を説明する。上部脹脛被覆部１は、脹脛トップ被覆部１１、脹脛トップ上被覆部１２および脹脛トップ下被覆部１３を備える。
【００２６】
脹脛トップ被覆部１１は、衣料の着用時に脹脛の最大径を含む領域に対応する位置に、配設される。脹脛トップ上被覆部１２は、脹脛において脹脛トップ被覆部１１よりも上方の領域に対応する位置に、配設される。脹脛トップ下被覆部１３は、脹脛において脹脛トップ被覆部１１よりも下方の領域に対応する位置に、配設される。
【００２７】
タイツ１０の着用時における股下から足首までの長さを１００％とした場合、上部脹脛被覆部１は、垂直方向において、股下から５５％から７５％程度に相当する位置に設けられる。脹脛トップ被覆部１１は、６２−７２％程度に相当する位置に、脹脛トップ上被覆部１２は、５５−７０％程度に相当する位置に、脹脛トップ下被覆部１３は、６４−７５％程度に相当する位置に、それぞれ設けられる。
【００２８】
また、タイツ１０の着用時における股下から足首までの長さを１００％とした場合、上部脹脛被覆部１は、６−２８％程度の長さを有するように形成される。脹脛トップ被覆部１１は、０．５−３％程度に相当する長さを有し、脹脛トップ上被覆部１２は、２−１０％程度に相当する長さを有し、脹脛トップ下被覆部１３は、４−１５％程度に相当する長さを有するように、それぞれ形成される。
【００２９】
ここで、脹脛トップ被覆部１１は、脹脛トップ上被覆部１２および脹脛トップ下被覆部１３よりも小さい伸長回復力を有するように形成される。
【００３０】
伸長回復力は、度目を詰めると大きくなり、度目を粗くすると小さくなる傾向にある。例えば、大腿上被覆部５の度目を基準とすると、大腿下被覆部４の度目は、１．０５−１．６倍程度、膝被覆部３の度目は０．９５−１．２５倍程度、脹脛トップ上被覆部１２の度目は１．０５−１．８倍程度、脹脛トップ被覆部１１の度目は１．０−１．６倍程度、脹脛トップ下被覆部１３の度目は１．２−２．５程度、下部脹脛被覆部２の度目は１．４−３．６倍程度、および足首被覆部６の度目は１．８−４．０倍程度となるように形成される。
【００３１】
なお、ここで挙げる各部の位置、長さおよび度目（伸長回復力）は、一例であって、これに限るものではない。例えば図２に示す例において脹脛トップ被覆部１１は、脹脛トップ上被覆部１２および脹脛トップ下被覆部１３と比べて、垂直方向に短い場合を説明する。ここで、各部における伸長回復力のバランスによって、脹脛トップ被覆部１１、脹脛トップ上被覆部１２および脹脛トップ下被覆部１３の垂直方向の長さは、適宜設定される。
【００３２】
脹脛トップ下被覆部１３は、脹脛トップ被覆部１１と比べて、伸長回復力が大きく締め付け力が高く形成されることにより、脹脛トップ下被覆部１３は、脹脛の肉を下方から持ち上げて、脹脛トップ被覆部１１の高さ位置を引き上げる。このようなタイツ１０の着用により、脹脛のボリュームが、上方向に移動するので、下腿の形状を美しく整え、視覚的に脚長に見える効果が得られる。
【００３３】
脹脛トップ被覆部１１は、脹脛トップ下被覆部１３と比べて、伸長回復力が小さく締め付け力が弱く形成される。脹脛トップ下被覆部１３により、持ち上げられた脹脛のボリュームが解放されるので、脹脛トップ被覆部１１において、脹脛の最大径を形成することが可能になる。
【００３４】
さらに、下部脹脛被覆部２が、脹脛トップ下被覆部１３と比べてさらに伸長回復力が大きく締め付け力が高く形成されることが好ましい。下部脹脛被覆部２から脹脛トップ下被覆部１３にかけて、段階的に締め付けることが可能になる。これにより、足首から脹脛トップにかかる脚の形状にフィットしながら脹脛の肉を持ち上げて、脹脛の形状を美しく整えることが可能になる。
【００３５】
また、脹脛トップ上被覆部１２も、脹脛トップ被覆部１１と比べて、伸長回復力が大きく締め付け力が高く形成される。脹脛トップ下被覆部１３は、高い伸長回復力を有し、脹脛の肉を下方から持ち上げるので、下方にずり下がる傾向がある。脹脛トップ上被覆部１２および脹脛トップ下被覆部１３が、脹脛トップ被覆部１１よりも大きい伸長回復力を有するので、脹脛トップ被覆部１１の上下位置で、強く押圧し、脹脛トップ被覆部１１の高さ位置がずれないように形成される。これにより、脹脛トップ被覆部１１における持ち上げられた脹脛トップの高さ位置を引き上げと、引き上げられた脹脛トップの高さ位置の維持を両立することができる。
【００３６】
脹脛トップ被覆部１１の垂直方向の長さは、脹脛トップ上被覆部１２および脹脛トップ下被覆部１３の垂直方向の長さよりも短くなるように形成されるのが好ましい。これにより、脹脛トップのピークを際だたせて、視覚的に脚長となることを可能にする。
【００３７】
また脹脛トップ下被覆部１３は、脹脛トップ上被覆部１２と比べて長く形成されることにより、脹脛の下方で極端に高い締め付け力を与えなくとも、脹脛の肉のボリューム全体をゆるやかに下から支えて、脹脛トップの高さを高くすることが可能になる。これにより、快適な着用感と、下腿のスムージングを両立することができる。
【００３８】
タイツ１０は、例えば図１および図２に示すように、大腿上被覆部５＜膝被覆部３＜脹脛トップ被覆部１１＜脹脛トップ上被覆部１２＝大腿下被覆部４＜脹脛トップ下被覆部１３＜下部脹脛被覆部２＜足首被覆部６の順で、伸長回復力が大きくなるように形成される。図１および図２において伸長回復力は、符号Ｇないし符号Ａの順で大きくなる。また各符号の色が濃くなるほど、伸長回復力が大きいことを示す。
【００３９】
図３および図４を参照して、本発明の実施の形態に係る上部脹脛被覆部１による脹脛トップの持ち上げ効果を説明する。
【００４０】
図３（ａ）は、タイツ１０の非着用時における下腿の側面図であって、図３（ｂ）は、タイツ１０の着用時における下腿の側面図である。タイツ１０の着用時における脹脛トップの高さ位置Ｈ１は、タイツ１０の非着用時における脹脛トップの高さ位置Ｈ２よりも高い。本発明の実施の形態に係るタイツ１０によって、脹脛トップが持ち上げられていることがわかる。
【００４１】
図４（ａ）は、タイツ１０の非着用時における下腿に等高線を施した図であって、図４（ｂ）は、タイツ１０の着用時における下腿に等高線を施した図である。図４の等高線は、着用者の前頭面（着用者の左右を結び前後に分ける面）に対して、等しい高さの点を結んだ線である。なお、図４（ａ）および（ｂ）において、着用者の左右両脚の両脇については、等高線を省略している。
【００４２】
図４に示すように、タイツ１０の着用時における脹脛トップの等高線数は、非着用時における等高線数よりも多く、脹脛トップにボリュームが集まりピークが形成されていることがわかる。図４に示す例において、タイツ１０の着用時における脹脛トップは、非着用時と比べて、前頭面に対する高さが、２ミリ程度高くなっていることを示す。また、タイツ１０の着用時における脹脛トップの垂直方向の高さ位置Ｈ１は、タイツ１０の非着用時における脹脛トップの高さよりも高いこともわかる。
【００４３】
（大腿下被覆部）
大腿下被覆部４は、膝の上方であって、大腿部の下方を被覆し、大腿上被覆部５および膝被覆部３よりも、大きい伸長回復力を有するように形成される。タイツ１０の着用時における股下から足首までの長さを１００％とした場合、大腿下被覆部４は、垂直方向において、股下から２０％から４５％程度に相当する位置に設けられる。また、タイツ１０の着用時における股下から足首までの長さを１００％とした場合、大腿下被覆部４は、１５−３０％程度の長さを有するように形成される。また大腿下被覆部４は、脹脛トップ上被覆部１２とほぼ同等の伸長力を有する。
【００４４】
大腿下被覆部４が、大腿上被覆部５および膝被覆部３よりも、強い締め付け力を発揮することによって、膝上の肉のボリュームが多い部分を押さえ、膝上方のスムージングを実現し、脹脛の形状を整えることにより、視覚的に脚を長く見せることを可能にする。
【００４５】
（膝被覆部）
膝被覆部３は、小さい伸長回復力を有する。膝被覆部３は、脹脛トップ上被覆部１２および大腿下被覆部４よりも小さい伸長回復力を有するように形成される。タイツ１０の着用時における股下から足首までの長さを１００％とした場合、膝被覆部３は、垂直方向において、股下から３５％から６５％程度に相当する位置に設けられる。また、タイツ１０の着用時における股下から足首までの長さを１００％とした場合、膝被覆部３は、１５−２５％程度の長さを有するように形成される。また大腿下被覆部４は、脹脛トップ上被覆部１２と同程度の伸長回復力を有する。
【００４６】
膝被覆部３は、小さい伸長回復力を有することにより、膝の屈伸による皮膚の動きに追従して、膝の動きを阻害しないことが可能になる。また図１に示すように、膝被覆部３の上下に締め付け力の高い脹脛トップ上被覆部１２および大腿下被覆部４を設ける。膝の屈伸によって膝被覆部３が伸縮しても、脹脛トップ上被覆部１２および大腿下被覆部４は、その締め付け力により、膝被覆部３の伸縮に追従しにくいので、膝周りのずれを生じにくくすることが可能になる。
【００４７】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００４８】
例えば、本発明の実施の形態において、脹脛を覆う衣料は、タイツの場合を説明したが、脹脛を覆うストッキングや靴下等であっても良い。
【００４９】
また、本発明の実施の形態において、伸長回復力を度目の調節により行ったが、弾性糸を挿入し、挿入量を調節することにより行ってもよく、度目の調節と弾性糸の挿入量の調節を組み合わせて行っても良い。
【００５０】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００５１】
１  上部脹脛被覆部
２  下部脹脛被覆部
３  膝被覆部
４  大腿下被覆部
５  大腿上被覆部
６  足首被覆部
１０  タイツ
１１  脹脛トップ被覆部
１２  脹脛トップ上被覆部
１３  脹脛トップ下被覆部
【図１】
2018071010.tif 000003
【図２】
2018071010.tif 000004
【図３】
2018071010.tif 000005
【図４】
2018071010.tif 000006